(57)【要約】【課題】排熱型吸収式冷温水機と直焚き型吸収式冷温水機とを備えたシステムの省エネルギー性を向上できる吸収式冷温水機用の集中制御装置を提供する。【解決手段】通信可能に接続された複数の吸収式冷温水機に対して個別に運転の開始を許可する運転許可信号を送信する信号送信手段３、１１、１３と、通信可能に接続された複数の吸収式冷温水機からの運転状態に関する情報を受信する受信手段３、１１、１３と、受信手段３、１１、１３で受信した各吸収式冷温水機の運転状態に関する情報に基づいて複数の吸収式冷温水機の運転を開始する順序を決定する運転順序決定手段３、７と、運転順序決定手段３、７で運転を開始する順序を決定するときに複数の吸収式冷温水機の中から優先的に運転を開始する吸収式冷温水機を設定する優先機設定手段３、５、７とを備え、運転順序決定手段３、７で決定した運転を開始する順序にしたがって信号送信手段３、１１、１３により通信可能に接続された複数の吸収式冷温水機に対して個別に運転許可信号を送信する構成とする。【選択図】        図１
2004347302.tif 000002
【特許請求の範囲】
【請求項１】
通信可能に接続された複数の吸収式冷温水機に対して個別に運転の開始を許可する運転許可信号を送信する信号送信手段と、通信可能に接続された複数の吸収式冷温水機からの運転状態に関する情報を受信する受信手段と、該受信手段で受信した各吸収式冷温水機の運転状態に関する情報に基づいて複数の吸収式冷温水機の運転を開始する順序を決定する運転順序決定手段と、該運転順序決定手段で運転を開始する順序を決定するときに複数の吸収式冷温水機の中から優先的に運転を開始する吸収式冷温水機を設定する優先機設定手段とを備え、前記運転順序決定手段で決定した運転を開始する順序にしたがって前記信号送信手段により通信可能に接続された複数の吸収式冷温水機に対して個別に前記運転許可信号を送信してなる吸収式冷温水機用の集中制御装置。
【請求項２】
前記優先機設定手段は、複数の吸収式冷温水機を優先機として設定可能であり、前記信号送信手段は、前記優先機設定手段で設定された複数の吸収式冷温水機に同時に前記運転許可信号を送信してなることを特徴とする請求項１に記載の集中制御装置。
【請求項３】
前記運転順序決定手段は、前記優先機設定手段により優先的に運転を開始する吸収式冷温水機が設定されているとき、吸収式冷温水機の運転開始順序を定義した２種類の運転開始順序データを作成し、該２種類の運転開始順序データは、前記優先機設定手段で設定した優先的に運転を開始する吸収式冷温水機を含む第１の運転開始順序データと、前記優先機設定手段で設定した優先的に運転を開始する吸収式冷温水機を含まない第２の運転開始順序データとからなることを特徴とする請求項１または２に記載の集中制御装置。
【請求項４】
前記受信手段は、通信可能に接続された複数の吸収式冷温水機からの運転状態に関する情報として、通信可能に接続された複数の吸収式冷温水機における排熱による入熱量に対応する情報またはバーナの燃焼による入熱量に対応する情報、及び、吸収式冷温水機で冷却または加温された熱媒体の温度の情報の少なくとも１つを受信してなり、該受信手段で受信した入熱量に対応する情報に基づいて演算した予め定められた時間の間の平均負荷率、及び、前記受信手段で受信した熱媒体の温度のデータの少なくとも一方に基づいて通信可能に接続された複数の吸収式冷温水機の運転台数を決定する運転台数決定手段を備えたことを特徴とする請求項１乃至３のいずれか１項に記載の集中制御装置。
【請求項５】
前記信号送信手段は、前記優先機設定手段で設定した優先的に運転を開始する吸収式冷温水機に対して、前記運転許可信号とは別個に、バーナの燃焼による運転を許可するバーナ運転許可信号を送信してなることを特徴とする請求項１乃至４のいずれか１項に記載の集中制御装置。
【請求項６】
前記優先機設定手段で設定した優先的に運転を開始する１台の吸収式冷温水機を、前記優先的に運転を開始する吸収式冷温水機と、優先的に運転を行わない吸収式冷温水機との２台の吸収式冷温水機と見なす設定が可能な複合機設定手段を備え、前記運転順序決定手段は、優先的に運転を行わない吸収式冷温水機を、前記複合機設定手段で設定された吸収式冷温水機のグループと、前記優先機設定手段で設定されていない吸収式冷温水機のグループとの２つのグループに分別して、前記優先機設定手段で設定されていない吸収式冷温水機のグループの運転を前記複合機設定手段で設定された吸収式冷温水機のグループの運転よりも優先的に開始し、前記信号送信手段は、前記運転順序決定手段で決定された順序にしたがって優先的に運転を行わない吸収式冷温水機に運転許可信号を送信するとき、前記複合機設定手段で設定された吸収式冷温水機にはバーナ運転許可信号を送信してなることを特徴とする請求項５に記載の集中制御装置。
【請求項７】
前記運転順序決定手段は、前記複合機設定手段で設定された吸収式冷温水機のグループと、前記優先機設定手段で設定されていない吸収式冷温水機のグループとの２つのグループ内で、各々、該各グループに含まれる吸収式冷温水機の運転を開始する順序をローテーションさせてなることを特徴とする請求項６に記載の集中制御装置。
【発明の詳細な説明】
【０００１】
【発明の属する技術分野】
本発明は、吸収式冷温水機用の集中制御装置に係り、特に、熱媒体が通流する熱媒体流路に対して並列に接続された複数の吸収式冷温水機の運転台数を制御する集中制御装置に関する。
【０００２】
【従来の技術】
１つの熱媒体流路に並列に接続された複数の直焚き型吸収式冷温水機、つまりバーナの燃焼熱を利用して駆動される吸収式冷温水機の運転台数を制御する装置として吸収式冷温水機用の集中制御装置が用いられている。従来の吸収式冷温水機用の集中制御装置は、各吸収式冷温水機で冷却または加温された熱媒体流路を流れる熱媒体の温度に基づいて運転台数を演算したり、各直焚き型吸収式冷温水機のバーナの燃焼による入熱量から演算された予め設定された時間の間の平均負荷率に基づいて運転台数を演算し、演算した台数の吸収式冷温水機に対して運転の開始を許可する運転許可信号を送信するものである（例えば、特許文献１−３参照）。また、この集中制御装置は、複数の吸収式冷温水機の運転を開始する順序を決め、さらにこの運転を開始する順序をローテーションさせる運転順序決定手段を有しており、運転を開始する順序をローテーションさせることで複数の吸収式冷温水機の運転時間を平均化し、特定の吸収式冷温水機の運転頻度が高くなるのを抑制できるようになっている。
【０００３】
一方、省エネルギー性を得るため、排熱を利用して駆動される排熱型吸収式冷温水機と、バーナの燃焼熱を利用して駆動される直焚き型吸収式冷温水機とを１つの熱媒体流路に並列に接続したシステムが提案されている（例えば、特許文献４参照）。
【０００４】
【特許文献１】
特公昭５９−５２７３３号公報（第１−３頁）
【特許文献２】
特公平３−４５４０２号公報（第１−３頁、第１、２及び６図）
【特許文献３】
実公昭５９−４１４３５号公報（第１−２頁、第１図）
【特許文献４】
特開平７−２８０３８１号公報（第４−６頁、第１図）
【０００５】
【発明が解決しようとする課題】
ところで、従来の吸収式冷温水機用の集中制御装置を排熱型吸収式冷温水機と直焚き型吸収式冷温水機とを１つの熱媒体流路に並列に接続したシステムに適用して、これらの吸収式冷温水機の運転の制御を行う場合、直焚き型吸収式冷温水機が、排熱型吸収式冷温水機に先行して運転開始される場合がある。この場合、排熱を利用できるにも係わらず排熱が有効利用されないため、省エネルギー性を得られなくなってしまう。すなわち、ローテーションにより排熱型吸収式冷温水機が最初に運転を開始する状態のとき以外は省エネルギー性を得られなくなり、総体的に見るとシステムの省エネルギー性が低下してしまうことになる。このため、排熱型吸収式冷温水機と直焚き型吸収式冷温水機とを１つの熱媒体流路に並列に接続したシステムの省エネルギー性を向上できる集中制御装置が望まれている。
【０００６】
本発明の課題は、排熱型吸収式冷温水機と直焚き型吸収式冷温水機とを備えたシステムの省エネルギー性を向上できる吸収式冷温水機用の集中制御装置を提供することにある。
【０００７】
【課題を解決するための手段】
本発明の吸収式冷温水機用の集中制御装置は、通信可能に接続された複数の吸収式冷温水機に対して個別に運転の開始を許可する運転許可信号を送信する信号送信手段と、通信可能に接続された複数の吸収式冷温水機からの運転状態に関する情報を受信する受信手段と、この受信手段で受信した各吸収式冷温水機の運転状態に関する情報に基づいて複数の吸収式冷温水機の運転を開始する順序を決定する運転順序決定手段と、この運転順序決定手段で運転を開始する順序を決定するときに複数の吸収式冷温水機の中から優先的に運転を開始する吸収式冷温水機を設定する優先機設定手段とを備え、運転順序決定手段で決定した運転を開始する順序にしたがって信号送信手段により通信可能に接続された複数の吸収式冷温水機に対して個別に運転許可信号を送信する構成とすることにより上記課題を解決する。
【０００８】
このような構成とすれば、排熱型吸収式冷温水機を優先機設定手段で優先的に運転を開始する吸収式冷温水機に設定することで、常に排熱型吸収式冷温水機が最初に駆動される。そして、運転台数決定手段で決定された必要な運転台数に応じて、直焚き型吸収式冷温水機が駆動される。したがって、熱媒体流路を通流する熱媒体の冷却または加温に優先的に排熱が利用されることになり、排熱型吸収式冷温水機と直焚き型吸収式冷温水機とを備えたシステムの省エネルギー性を向上できる。
【０００９】
また、優先機設定手段は、複数の吸収式冷温水機を優先機として設定可能であり、信号送信手段は、優先機設定手段で設定された複数の吸収式冷温水機に同時に運転許可信号を送信する構成とする。このような構成とすれば、排熱源からの排熱の熱量が複数の排熱型吸収式冷温水機を駆動できる程度のものである場合などに、複数の排熱型吸収式冷温水機を同時に駆動することにより、熱媒体流路を通流する熱媒体の温度が要求された温度になるまでの時間を短縮できる。
【００１０】
さらに、運転順序決定手段は、優先機設定手段により優先的に運転を開始する吸収式冷温水機が設定されているとき、吸収式冷温水機の運転開始順序を定義した２種類の運転開始順序データを作成し、これら２種類の運転開始順序データは、優先機設定手段で設定した優先的に運転を開始する吸収式冷温水機を含む第１の運転開始順序データと、優先機設定手段で設定した優先的に運転を開始する吸収式冷温水機を含まない第２の運転開始順序データとからなる構成とする。
【００１１】
このような構成とすれば、排熱源からの排熱がない場合には、排熱型吸収式冷温水機を駆動せず、直焚き型吸収式冷温水機で運転を開始する。このため、排熱源からの排熱がないのに優先機に設定された排熱型吸収式冷温水機が優先的に駆動してしまい、運転台数決定手段で直焚き型吸収式冷温水機を運転することになる運転台数が演算されるまで熱媒体の温度が要求される温度にならないといった問題の発生が回避され、熱媒体の温度が要求された温度になるまでの時間を短縮できる。
【００１２】
また、受信手段は、通信可能に接続された複数の吸収式冷温水機からの運転状態に関する情報として、通信可能に接続された複数の吸収式冷温水機における排熱による入熱量に対応する情報またはバーナの燃焼による入熱量に対応する情報、及び、吸収式冷温水機で冷却または加温された熱媒体の温度の情報の少なくとも１つを受信してなり、この受信手段で受信した入熱量に対応する情報に基づいて演算した予め定められた時間の間の平均負荷率、及び、受信手段で受信した熱媒体の温度のデータの少なくとも一方に基づいて通信可能に接続された複数の吸収式冷温水機の運転台数を決定する運転台数決定手段を備えた構成とする。
【００１３】
さらに、信号送信手段は、優先機設定手段で設定した優先的に運転を開始する吸収式冷温水機に対して、運転許可信号とは別個に、バーナの燃焼による運転を許可するバーナ運転許可信号を送信してなる構成とする。このような構成とすれば、排熱型吸収式冷温水機の排熱による駆動だけでは熱媒体の温度を要求された温度にできないとき、排熱型吸収式冷温水機が備えた補助ボイラが駆動するのを防ぎ、排熱型吸収式冷温水機が備えた補助ボイラよりも熱効率が高い直焚き型吸収式冷温水機を運転できる。したがって、省エネルギー性をより向上できる。
【００１４】
さらに、優先機設定手段で設定した優先的に運転を開始する１台の吸収式冷温水機を、優先的に運転を開始する吸収式冷温水機と、優先的に運転を行わない吸収式冷温水機との２台の吸収式冷温水機と見なす設定が可能な複合機設定手段を備え、運転順序決定手段は、優先的に運転を行わない吸収式冷温水機を、複合機設定手段で設定された吸収式冷温水機のグループと、優先機設定手段で設定されていない吸収式冷温水機のグループとの２つのグループに分別して、優先機設定手段で設定されていない吸収式冷温水機のグループの運転を前記複合機設定手段で設定された吸収式冷温水機のグループの運転よりも優先的に開始し、信号送信手段は、運転順序決定手段で決定された順序にしたがって優先的に運転を行わない吸収式冷温水機に運転許可信号を送信するとき、複合機設定手段で設定された吸収式冷温水機にはバーナ運転許可信号を送信する構成とする。
【００１５】
このような構成とすれば、排熱型吸収式冷温水機が補助ボイラや直焚き型の再生器を備えている場合、この排熱型吸収式冷温水機を複合機として設定すれば、補助ボイラや直焚き型の再生器による駆動を１台の直焚き型吸収式冷温水機と見なして運転台数に数えることができる。そして、複合機として設定した排熱型吸収式冷温水機が補助ボイラを備えた排熱型吸収式冷温水機の場合、直焚き型吸収式冷温水機よりも熱効率が低い補助ボイラの駆動による排熱型吸収式冷温水機での熱媒体の冷却または加温を、全ての直焚き型吸収式冷温水機の運転の後に行うことができ、省エネルギー性をより向上できる。したがって、省エネルギー性を向上しながら、より少ない吸収式冷温水機の台数で、必要な熱媒体の冷却または加温能力を得ることができる。
【００１６】
また、複合機として設定した排熱型吸収式冷温水機が直焚き型の再生器を備えた排熱型吸収式冷温水機の場合、直焚き型の再生器の駆動による排熱型吸収式冷温水機での熱媒体の冷却または加温を、全ての直焚き型吸収式冷温水機の運転の後に行うことができ、排熱型吸収式冷温水機の直焚き型の再生器が優先的に作動するのを回避し、排熱型吸収式冷温水機の直焚き型の再生器の運転頻度が高くなるのを防ぐことができる。したがって、排熱型吸収式冷温水機の直焚き型の再生器の運転頻度が高くなるのを防ぎ、かつ、より少ない吸収式冷温水機の台数で、必要な熱媒体の冷却または加温能力を得ることができる。
【００１７】
また、運転順序決定手段は、複合機設定手段で設定された吸収式冷温水機のグループと、優先機設定手段で設定されていない吸収式冷温水機のグループとの２つのグループ内で、各々、これら各グループに含まれる吸収式冷温水機の運転を開始する順序をローテーションさせる構成とする。これにより、各グループに属する吸収式冷温水機の運転頻度を平均化できる。
【００１８】
【発明の実施の形態】
以下、本発明を適用してなる集中制御装置の一実施形態について図１乃至図１２を参照して説明する。図１は、本発明を適用してなる集中制御装置の概略構成を示すブロック図である。図２乃至図４は、本発明を適用してなる集中制御装置を用いた空調システムの概略構成の一例を示す図である。図５は、本発明を適用してなる集中制御装置の概略動作を示すフロー図である。図６は、本発明を適用してなる集中制御装置の運転順序決定手段で決定した運転開始順序データとローテーションについて説明する図である。図７は、本発明を適用してなる集中制御装置の運転台数の決定方法と運転台数の決定に用いるテーブルを示す図である。図８は、本発明を適用してなる集中制御装置の冷温水温度と平均負荷率とによる制御を説明する図である。図９は、本発明を適用してなる集中制御装置の平均負荷率演算過程を示すフロー図である。図１０及び図１１は、本発明を適用してなる集中制御装置の平均負荷率の演算方法を説明する図である。図１２は、本発明を適用してなる集中制御装置の平均負荷率に基づく運転台数決定過程を示すフロー図である。
【００１９】
なお、以下の実施形態の説明において、直焚き型吸収式冷温水機は、ガスや灯油などの燃料の燃焼を行うバーナを熱源とする直焚き再生器を備えたものを意味する。排熱型吸収式冷温水機は、熱を発生する装置や設備などの排熱を回収した熱媒、または、それらの設備からの蒸気や排ガスなどを熱源とする排熱焚き再生器を備えたものを意味する。そして、複合型吸収式冷温水機は、排熱を熱源とする排熱焚き再生器に加え、バーナを熱源とする直焚き再生器または補助ボイラを併設したものを意味する。
【００２０】
本実施形態の集中制御装置１は、図１に示すように、演算処理などを行うマイコン３、システムの運転及び停止の指令や各種設定などを行うための入力部５、設定時や運転時に各種情報を表示する表示部７、各種データを記憶する記憶手段となるメモリ９、吸収式冷温水機の制御部などへの運転許可信号の送信や、吸収式冷温水機の制御部からの情報の受信などを行うための通信回路１１、吸収式冷温水機の制御部との通信回線が接続される通信ポート１３、そして電源に接続されて電力を供給する電源回路１５などを備えている。
【００２１】
マイコン３は、入力部５で入力された指令などに対応する信号を受け取り可能に入力部５と電気的に接続され、データに応じた信号の授受が可能にメモリ７と電気的に接続され、そして、情報に応じた信号や運転許可信号、その他の信号などの授受が可能に通信回路１１と電気的に接続されている。また、マイコン３は、電源回路１５を介して電力の供給を受ける。入力部５は、システムの運転及び停止の指令や、各種設定を行うための専用のスイッチなどを有しているが、その形態は、スイッチ類を配置したパネル、キーボード、表示部７と組み合わせたタッチパネルなど適宜選択できる。表示部７は、液晶表示パネルや、その他の少なくとも文字や数値の表示が可能な表示装置で構成されている。メモリ９は、データの記録及び読み出しが可能な記憶手段であるＲＡＭなどで構成されているが、メモリーカードなどといったその他のデータの記録及び読み出しが可能な記憶手段などを用いることもできる。
【００２２】
通信回路１１は、通信回線を構成する配線１６を介して通信ポート１３に通信可能にに接続された吸収式冷温水機に設けられた制御部や外部のコンピュータなどとの通信を行うための回路である。通信ポート１３は、複数の吸収式冷温水機に設けられた制御部と通信を行うため、複数の吸収式冷温水機が並列に接続された配線１６が接続される通信用のポートである。つまり、複数の吸収式冷温水機は、通信ポート１３に接続された同一の配線１６上に並列に接続されている。そして、マイコン３は、吸収式冷温水機を識別するための識別情報として、各吸収式冷温水機の制御部が有するか、または制御部に割り当てられた固有の識別情報を利用して各吸収式冷温水機を識別し、通信回路１１及び通信ポート１３を介し、この識別情報を利用して各吸収式冷温水機の制御部と通信を行う。
【００２３】
なお、本実施形態の通信ポート１３に代えて、例えば番号などが付されている複数の入出力端子を設け、吸収式冷温水機が接続された入出力端子の番号に応じて、吸収式冷温水機を識別する構成にすることもできる。つまり、マイコン３が、吸収式冷温水機を識別するための識別情報として、その吸収式冷温水機に設けられた制御部からの配線が接続された入出力端子に付された番号を用いるなど、集中制御装置１と吸収式冷温水機との通信や吸収式冷温水機の識別などは、様々な構成や方法で行うことができる。
【００２４】
このような本実施形態の集中制御装置１は、マイコン３に各部５、７、９、１３及び回路１１、１５などを組み合わせ、さらにマイコン３が種々の機能を果たすためのプログラムを有することで、信号送信手段、受信手段、運転台数決定手段、運転順序決定手段、優先機設定手段、そして複合機設定手段などを有した構成となっている。
【００２５】
信号送信手段は、通信ポート１３に接続された複数の吸収式冷温水機に対してシステムの運転及び停止の指令信号や、個別に運転の開始を許可する運転許可信号などを送信するものであり、マイコン３、通信回路１１、そして通信ポート１３などで構成されている。また、信号送信手段は、複合機設定手段で設定された複合型吸収式冷凍機を優先機として運転を開始する場合には通常の運転許可信号を、複合型吸収式冷凍機を直焚き型吸収式冷温水機と見なして運転を開始する場合には、バーナ運転許可信号を送信する。受信手段は、通信ポート１３に接続された複数の吸収式冷温水機における排熱による入熱量に対応する情報またはバーナの燃焼による入熱量に対応する情報、そして複数の吸収式冷温水機の制御部から、これらの複数の吸収式冷温水機の出口側での熱媒体の温度の情報などを受信するものであり、通信回路１１、そして通信ポート１３などで構成されている。
【００２６】
運転台数決定手段は、複数の吸収式冷温水機で冷却または加温されて熱媒体流路内を通流する熱媒体の温度に対応するデータ、そして、平均負荷率に基づいて吸収式冷温水機の運転台数を決定するものであり、マイコン３、そしてメモリ７などで構成されている。また、運転台数決定手段は、システムの運転を開始した際の吸収式冷温水機の初期起動台数の決定なども行う。初期起動台数は、過去の空調システムの運転においてシステムに要求された最大負荷や、予め設定され入力された初期起動能力、つまりシステム全体の能力に対する初期起動時の能力の割合などに応じて適宜決定する。なお、本実施形態では、運転台数決定手段が、各吸収式冷温水機の出口側での熱媒体の温度の情報に基づいて複数の吸収式冷温水機で冷却または加温されて熱媒体流路内を通流する熱媒体の温度を演算し推測する機能も有している。さらに、平均負荷率の演算では、排熱による入熱量に対応する情報及びバーナの燃焼による入熱量に対応する情報に基づいて予め定められた時間の間の平均負荷率を演算している。
【００２７】
運転順序決定手段は、複数の吸収式冷温水機の運転開始順序を定義した運転開始順序データを作成すると共に、優先機設定手段で設定された吸収式冷温水機を除く吸収式冷温水機の運転を開始する順序をローテーションさせるためのローテーション情報を作成するものであり、マイコン３、そしてメモリ７などで構成されている。
【００２８】
優先機設定手段は、運転順序決定手段で運転開始順序データを作成するとき、入力部５により選択した識別情報を有する吸収式冷温水機を優先的に運転開始を許可する吸収式冷温水機として設定するためのものであり、入力部５、マイコン３、そしてメモリ７などで構成されている。なお、優先機設定手段では、複数の吸収式冷温水機を優先機として設定できる。
【００２９】
複合機設定手段は、優先機設定手段で優先的に運転開始を許可する吸収式冷温水機として設定した吸収式冷温水機の中から、補助ボイラを有する複合型吸収式冷温水機や、直焚き型の再生器を併設した複合型吸収式冷温水機が有する識別情報を入力部５で選択することで、優先機設定手段で設定した１台の吸収式冷温水機を、優先的に運転開始を許可する排熱型吸収式冷温水機と、優先的に運転を行わない補助ボイラまたは直焚き型の再生器で駆動する直焚き型吸収式冷温水機との２台の吸収式冷温水機と見なす設定を行うものであり、入力部５、マイコン３、そしてメモリ７などで構成されている。
【００３０】
このような構成の集中制御装置１を設置した複数の吸収式冷温水機を有するシステムの一例として３種類の空調システムの構成を以下に例示する。第１の例の空調システム１７は、図２に示すように、例えば発電機などの排熱を発生する排熱源１９で発生した排熱を蓄熱槽２１に収容された熱媒体、例えば水に回収すると共に蓄熱する。排熱源１９と蓄熱槽２１は、排ガスダクト２２で連結されている。
【００３１】
空調システム１７は、吸収式冷温水機として、蓄熱槽２１で排熱を回収した水からの入熱を熱源とする排熱焚き再生器を備えた２台の排熱型吸収式冷温水機２３、そして、要求される最大空調負荷に対応するため、ガスなどの燃料のバーナによる燃焼による入熱を熱源とする直焚き再生器を備えた２台の直焚き型吸収式冷温水機２５を備えている。蓄熱槽２１と各排熱型吸収式冷温水機２３との間には、蓄熱槽２１と各排熱型吸収式冷温水機２３の図示していない排熱焚き再生器との間で水を循環させるための熱源管路２７ａ、２７ｂが設けられている。蓄熱槽２１から各排熱型吸収式冷温水機２３に排熱で加熱された水を供給する熱源管路２７ａの蓄熱槽２１からの出口部分には、送液ポンプ２９が設けられている。
【００３２】
２台の排熱型吸収式冷温水機２３と２台の直焚き型吸収式冷温水機２５とは、各々、熱媒体が通流する熱媒体流路となる冷温水管路３１ａ、３１ｂに、連結管路３３ａ、３３ｂを介して連結されている。冷温水管路３１ａは、各吸収式冷温水機２３、２５の蒸発器で冷却または加温された熱媒体、例えば水を室内３４に設置された室内機３５に供給する管路であり、各吸収式冷温水機２３、２５と連結管路３３ａを介して連結されている。また、冷温水管路３１ａは、冷温水管路３１ａ内の水の流れに対して最も下流側に位置する連結管路３３ａが合流する位置よりも下流側の部分に送液ポンプ３７を備えている。なお、連結管路３３ａは、直接冷温水管路３１ａに合流させず、ヘッダ管などを設けてヘッダ管を介して冷温水管路３１ａに連通させた構成にすることもできる。
【００３３】
冷温水管路３１ｂは、室内機３５で室内の空気と熱交換した水を各吸収式冷温水機２３、２５に戻す管路であり、各吸収式冷温水機２３、２５と連結管路３３ｂを介して連結されている。室内機３５は、各吸収式冷温水機２３、２５で冷却または加温された水と室内３４の空気との熱交換により冷風または熱風を吹き出し室内３４の冷房または暖房を行う。
【００３４】
集中制御装置１は、例えば室内機３５が設置された室内３４に設置されており、各吸収式冷温水機２３、２５に設けられて各吸収式冷温水機２３、２５の動作を制御する制御部２３ａ、２５ａと通信回線となる配線１６により接続されている。
【００３５】
第２の例の空調システム３９は、図３に示すように、例えば発電機などの排熱を発生する排熱源１９で発生した排熱を、排熱回収器４１で熱媒体、例えば水に回収する。排熱源１９と排熱回収器４１とは、排ガスダクト２２で連結されている。空調システム３９は、排熱を回収した水からの入熱を熱源とする排熱焚き再生器を備え、さらに排熱の熱量が少ない場合に排熱焚き再生器に供給される熱媒体をバーナの燃焼により加熱する補助ボイラ４３を備えた２台の複合型吸収式冷温水機４５を備えている。加えて、第１の例と同様に、要求される最大空調負荷に対応するため、ガスなどの燃料のバーナによる燃焼による入熱を熱源とする直焚き再生器を備えた２台の直焚き型吸収式冷温水機２５を備えている。
【００３６】
排熱回収器４１と各複合型吸収式冷温水機４５との間には、排熱回収器４１と各複合型吸収式冷温水機４５の図示していない排熱焚き再生器との間で水を循環させるための熱源管路４７ａ、４７ｂが設けられている。排熱回収器４１から各複合型吸収式冷温水機４５に排熱で加熱された水を供給する熱源管路４７ａの排熱回収器４１からの出口部分には、送液ポンプ２９が設けられている。熱源管路４７ａは、各複合型吸収式冷温水機４５の補助ボイラ４３に連結されており、各複合型吸収式冷温水機４５で熱交換した水を排熱回収器４１に戻す熱源管路４７ｂは、各複合型吸収式冷温水機４５の図示していない排熱焚き再生器に連結されている。冷温水管路３１ａ、３１ｂに水を循環させるための送液ポンプ３７は、各連結管路３３ａに各々設けられている。
【００３７】
集中制御装置１は、第１の例と同様に、例えば室内機３５が設置された室内に設置されており、各吸収式冷温水機４５、２５に設けられて各吸収式冷温水機４５、２５の動作を制御する制御部４５ａ、２５ａと通信回線となる配線１６により接続されている。その他の構成は、第１の例と同じであるため、説明を省略する。なお、図３において、第１の例と同一の構成などには同じ符号を付している。
【００３８】
第３の例の空調システム４９は、図４に示すように、例えば発電機などの排熱を発生する排熱源１９で発生した排ガスからの入熱を熱源とする排熱焚き再生器と、バーナの燃焼による入熱を熱源とする直焚き再生器との２種類の再生器を備えた１台の複合型吸収式冷温水機５１を備えている。さらに、第１及び第２の例と同様に、要求される最大空調負荷に対応するため、ガスなどの燃料のバーナによる燃焼による入熱を熱源とする直焚き再生器を備えた２台の直焚き型吸収式冷温水機２５を備えている。
【００３９】
排熱源１９と各複合型吸収式冷温水機５１との間には、排熱源１９の排ガスを複合型吸収式冷温水機５１の図示していない排熱焚き再生器に導く排ガスダクト５３が設けられている。冷温水管路３１ａ、３１ｂに水を循環させるための送液ポンプ３７は、第１の例と同様に、各連結管路冷温水管路３１ａに設けられている。
【００４０】
集中制御装置１は、第１及び第２の例と同様に、例えば室内機３５が設置された室内に設置されており、各吸収式冷温水機５１、２５に設けられて各吸収式冷温水機５１、２５の動作を制御する制御部５１ａ、２５ａと通信回線となる配線１６により接続されている。その他の構成は、第１及び第２の例と同じであるため、説明を省略する。なお、図４において、第１及び第２の例と同一の構成などには同じ符号を付している。
【００４１】
このような構成の集中制御装置１の動作と本発明の特徴部について説明する。なお、ここでは、第２の例の空調システム３９を例として説明を行う。つまり、補助ボイラ４３を有する２台の複合型吸収式冷温水機４５と、２台の直焚き型吸収式冷温水機２５を備えている場合を例として説明を行う。また、図３に示すように、複合型吸収式冷温水機４５は、各々、Ｎｏ．１、２という識別情報を、直焚き型吸収式冷温水機２５は、各々、Ｎｏ．３、４という識別情報を有しているものとする。
【００４２】
空調システム３９の設置後または運転開始前に、優先機設定手段により優先機を設定する。排熱を利用した空調を優先的に行うため、２台の複合型吸収式冷温水機４５を優先機とする。したがって、集中制御装置１の入力部５の操作により、Ｎｏ．１、２の複合型吸収式冷温水機４５を優先機に設定しておく。さらに、複合機設定手段により複合機を設定する。２台の複合型吸収式冷温水機４５は、各々補助ボイラ４３を備えているため、補助ボイラ４３が駆動した状態を１台の直焚き型吸収式冷温水機に相当すものと見なして運転台数の決定を行うことができるよう、集中制御装置１の入力部５の操作により、Ｎｏ．１、２の複合型吸収式冷温水機４５を複合機に設定しておく。
【００４３】
集中制御装置１の入力部５に設けられたシステムの運転開始の指令ボタンを押して空調システム３９の運転を開始する。これによりシステムを構成する各吸収式冷凍機２５、４５は、運転許可信号を待つスタンバイ状態となる。集中制御装置１は、図５に示すように、優先機が設定されているか否かを確認する（ステップ１０１）。ステップ１０１で優先設定が設定されている場合には、複合機が設定されているか否かを確認する（ステップ１０３）。ステップ１０３で複合機が設定されている場合には、集中制御装置１は、運転順序決定手段により、優先機として設定されたグループ、直焚き型吸収式冷温水機と見なす複合機のグループ、そして、優先機を除いたグループに分別する。
【００４４】
分別したグループの内、直焚き型吸収式冷温水機と見なす複合機のグループ内、そして、優先機を除いたグループ内での運転を開始する順序をローテーションさせるための情報であるローテーション情報を作成する。その後、分別したグループの情報と、作成した直焚き型吸収式冷温水機と見なす複合機のグループと優先機を除いたグループ内での各ローテーション情報とに基づいて運転を開始する順序のデータである２種類の運転開始順序データを作成する（ステップ１０５）。
【００４５】
すなわち、ステップ１０５において、集中制御装置１は、運転順序決定手段により、優先機を除いたグループ、つまりＮｏ．３、４の２台の直焚き型吸収式冷温水器２５のローテーション情報と、複合機として設定されたグループ、つまりＮｏ．１、２の２台の補助ボイラ４３を駆動した複合型吸収式冷温水機４５のローテーション情報とを作成し、その後、分別したグループの情報と、これらのローテーション情報とに基づいて、２種類の運転開始順序データを作成する。
【００４６】
ここで作成された運転開始順序データは、図６に示すように、ステップ１０１で優先機が設定されている場合、運転開始順序データとして、優先機２台に最初に同時に運許可信号を送信して優先機２台を最初に運転開始させる運転開始順序データＡと、優先機２台に運転許可信号を送信せず、優先機２台の運転を行わない運転開始順序データＢとの２種類の運転開始順序データである。
【００４７】
なお、吸収式冷温水機の運転台数を増加する場合、運転開始順序データＡでは、最初に、優先機に設定されたＮｏ．１、２の複合型吸収式冷温水機４５に運転許可信号を送信することで、Ｎｏ．１、２の複合型吸収式冷温水機４５が排熱による運転を同時に開始し、その後、必ず優先機を除いたグループつまり直焚き型吸収式冷温水機２５に運転許可信号を順次送信することで、直焚き型吸収式冷温水機２５が運転を開始する。そして、全ての優先機を除いたグループの吸収式冷温水機、つまりＮｏ．３、４の直焚き型吸収式冷温水器２５が運転開始された後、複合機として設定されたグループであるＮｏ．１、２の複合型吸収式冷温水機４５にバーナ運転許可信号を順次送信することで、Ｎｏ．１、２の複合型吸収式冷温水機４５の補助ボイラ４３が運転を開始する。
【００４８】
また、各吸収式冷温水器の運転を停止する場合には、運転開始と逆の順番で運転非許可信号を送信する。さらに、前回の運転において、異常などにより停止した吸収式冷温水機がある場合には、その情報をメモリ７に記録しておき、そのメモリ７に記録された情報に基づいて、ステップ１０５においてローテーション情報と運転開始順序データを作成するとき、その停止した吸収式冷温水機の番号を除いてローテーション情報と運転開始順序データを作成する。
【００４９】
一方、ステップ１０３で複合機が設定されていない場合には、集中制御装置１は、図５に示すように、運転順序決定手段により、優先機を除いた吸収式冷温水機、例えばＮｏ．３、４の２台の直焚き型吸収式冷温水器２５のローテーション情報を作成する。そして、このローテーション情報に基づいて優先機２台に最初に運転許可信号を送信して優先機２台を最初に運転開始させる運転開始順序データと、優先機２台に運転許可信号を送信せず、優先機２台の運転を行わない運転開始順序データとの２種類の運転開始順序データを作成する（ステップ１０７）。また、ステップ１０１で優先機が設定されていない場合には、集中制御装置１は、運転順序決定手段により、集中制御装置１に接続された全ての吸収式冷温水機のローテーション情報を作成し、このローテーション情報に基づいて１種類の運転開始順序データを作成する（ステップ１０９）。
【００５０】
ステップ１０５で運転開始順序データＡと運転開始順序データＢとの２種類の運転開始順序データを作成すると、集中制御装置１は、予めメモリ７に記録されていた情報とこれら２種類の運転開始順序データＡ、Ｂを基に、予め定められた時間の間の平均負荷率から運転する吸収式冷温水機の台数を決定するための２種類のテーブルを作成する（ステップ１１１）。ステップ１１１で作成する２種類のテーブルは、図７に示すように、運転開始順序データＡに基づく優先機に設定したＮｏ．１、２の複合型吸収式冷温水機４５、Ｎｏ．３、４の直焚き型吸収式冷温水器２５、そして補助ボイラ４３の駆動によるＮｏ．１、２の複合型吸収式冷温水機４５を運転するためのテーブルＡと、運転開始順序データＢに基づくＮｏ．３、４の直焚き型吸収式冷温水器２５、そして補助ボイラ４３の駆動によるＮｏ．１、２の複合型吸収式冷温水機４５のみを運転するためのテーブルＢである。
【００５１】
なお、ステップ１０３で複合機が設定されていない場合、集中制御装置１は、図５に示すように、ステップ１０７で作成した２種類の運転開始順序データに基づいて、ステップ１１１で、補助ボイラ４３の駆動によるＮｏ．１、２の複合型吸収式冷温水機４５を含まない２種類のテーブルを作成する。また、ステップ１０１で優先機が設定されていない場合には、ステップ１０９で作成した１種類の運転開始順序データに基づいて、全吸収式冷温水機による１種類のテーブルのみを作成する（ステップ１１３）。
【００５２】
集中制御装置１は、ステップ１１１で２種類のテーブルＡ、Ｂを作成した後、運転台数決定手段により、最初に起動する吸収式冷温水機の台数、つまり初期起動台数の決定を行う（ステップ１１５）。初期起動台数は、過去の空調システム３９の運転における最大空調負荷に応じて決定される。なお、初期起動台数は、予め設定され入力された初期起動能力、つまりシステム全体の能力に対する初期起動時の能力の割合などに応じて決定するなど、他の様々な決定方法で決定することもできる。
【００５３】
ステップ１１５で初期起動台数を決定した後、集中制御装置１は、排熱源１９が駆動していることを示す信号を受けているか否か、つまり排熱が有るか否かを確認する（ステップ１１７）。ステップ１１７で排熱が有る場合、集中制御装置１は、図７に示すように、優先機に設定したＮｏ．１、２の複合型吸収式冷温水機４５、Ｎｏ．３、４の直焚き型吸収式冷温水器２５、そして補助ボイラ４３の駆動によるＮｏ．１、２の複合型吸収式冷温水機４５へ運転を許可する、つまり運転許可信号を送信する順序及び台数を決定するための運転開始順序データＡ及びテーブルＡを選択する（ステップ１１９）。一方、ステップ１１７で排熱がない場合、集中制御装置１は、図６及び図７に示すように、Ｎｏ．３、４の直焚き型吸収式冷温水器２５、そして補助ボイラ４３の駆動によるＮｏ．１、２の複合型吸収式冷温水機４５へ運転許可信号を送信する順序及び台数を決定するためのの運転開始順序データＢ及びテーブルＢを選択する（ステップ１２１）。
【００５４】
したがって、排熱源１９からの排熱が有る場合には、運転開始順序データＡ及びテーブルＡが選択されることにより、必ず最初にＮｏ．１、２の複合型吸収式冷温水機４５に運転許可信号が送信され、運転許可信号を受信したＮｏ．１、２の複合型吸収式冷温水機４５の排熱焚き再生器による運転が行われる。また、排熱源１９からの排熱がない場合には、運転開始順序データＢ及びテーブルＢが選択されることにより、Ｎｏ．１、２の複合型吸収式冷温水機４５に運転許可信号が送信されることはないため、排熱を利用したＮｏ．１、２の複合型吸収式冷温水機４５の運転は行われない。
【００５５】
ステップ１１９またはステップ１２１の後、集中制御装置１は、ステップ１１５で決定した初期起動台数とステップ１１９またはステップ１２１で選択した運転開始順序データとに応じて、運転を開始させる必要がある吸収式冷温水機に運転許可信号を送信する。運転許可信号を受けた吸収式冷温水機は、立ち上がり運転を開始する（ステップ１２３）。  なお、ステップ１１３の後にステップ１１５に進んで初期起動台数を決定した場合には、ステップ１１５からステップ１２３に進んで、運転許可信号を送信し、運転許可信号を受けた吸収式冷温水機が立ち上がり運転を開始する。
【００５６】
このとき、運転開始順序データＡ及びテーブルＡを選択するステップ１１９からステップ１２３に進んだ場合、優先機に設定されたＮｏ．１、２の複合型吸収式冷温水機４５は、運転許可信号を受信するとＮｏ．１、２の複合型吸収式冷温水機４５の制御部４５ａの制御により排熱焚き再生器による運転を開始する。ただし、Ｎｏ．１、２の複合型吸収式冷温水機４５の制御部４５ａは、集中制御装置１からバーナ運転許可信号を受信するまでは、補助ボイラ４３の運転は行わない。また、ステップ１１５で決定した初期起動台数が直焚き型吸収式冷温水機２５を含む台数のときは、集中制御装置１の信号送信手段は、該当する直焚き型吸収式冷温水機２５に運転許可信号を送信する。さらに、補助ボイラ４３の駆動によるＮｏ．１、２の複合型吸収式冷温水機４５を含む台数のときは、集中制御装置１の信号送信手段は、該当する複合型吸収式冷温水機４５にバーナ運転許可信号を送信する。
【００５７】
ステップ１２３の立ち上がり運転時の運転台数の制御は、冷温水管路３１ａを通流する室内機３５に供給される水の温度が、冷房時は予め設定した温度Ｔｃ１以下に下がるまで、暖房時は予め設定した温度Ｔｈ１以上にあがるまで行われる。また、立ち上がり運転時の運転台数の制御を開始してから予め設定した設定時間ｔ１が経過しても、冷温水管路３１ａを通流する室内機３５に供給される水の温度が温度Ｔｃ１以下または温度Ｔｈ１以上にならない場合には、選択した運転開始順序データにしたがって停止していた１台の吸収式冷温水機に運転許可信号を送信して運転を開始しさせ、吸収式冷温水機を１台増加する。
【００５８】
ステップ１２３で冷温水管路３１ａを通流する室内機３５に供給される水の温度が温度Ｔｃ１以下または温度Ｔｈ１以上になると、集中制御装置１は、定常運転時の運転台数の制御を開始する（ステップ１２５）。ステップ１２５における定常運転時の運転台数の制御において、集中制御装置１は、排熱が無いためにステップ１２１に進み運転開始順序データＢ及びテーブルＢを選択しているときに、排熱源１９が駆動していることを示す信号を受けると、ステップ１１７に戻って排熱が有るか否かを確認し、排熱が有るのことによりステップ１１９に進んで運転開始順序データＡ及びテーブルＡを選択する。そして、ステップ１２３の立ち上がり運転時の運転台数の制御をスキップしてステップ１２５の定常運転時の運転台数の制御に戻り、運転開始順序データＡ及びテーブルＡを用いて定常運転時の運転台数の制御を行う。
【００５９】
同様に、集中制御装置１は、排熱が有るためにステップ１１９に進み運転開始順序データＡ及びテーブルＡを選択して定常運転時の運転台数の制御を行っているときに、排熱源１９が駆動していることを示す信号が無くなると、ステップ１１７に戻って排熱が有るか否かを確認し、排熱が無いことによりステップ１１９に進んで運転開始順序データＢ及びテーブルＢを選択する。そして、ステップ１２３の立ち上がり運転時の運転台数の制御をスキップして、ステップ１２５における定常運転時の運転台数の制御に戻り、運転開始順序データＢ及びテーブルＢを用いて定常運転時の運転台数の制御を行う。
【００６０】
なお、ステップ１０１で優先機が設定されていない場合のステップ１０９、ステップ１１３、ステップ１２３、そしてステップ１２５に至る過程は、従来の集中制御装置と同じ動作である。また、運転許可された直焚き型吸収式冷温水機２５や複合型吸収式冷温水機４５自体の運転動作の制御は、通常の吸収式冷温水機と同様に各吸収式冷温水機２５、４５が有する制御部２５ａ、４５ａによって制御される。つまり、集中制御装置１は、各吸収式冷温水機２５、４５が有する制御部２５ａ、４５ａに運転許可信号を送信して運転を許可することで、運転を開始する順序や運転台数やなどを制御し、各吸収式冷温水機２５、４５の運転動作は、各吸収式冷温水機２５、４５が有する制御部２５ａ、４５ａが制御する。
【００６１】
ステップ１２５の定常運転時の運転台数の制御では、図７に示すようなテーブルＡまたはテーブルＢを用いた平均負荷率に基づく運転台数の制御と、図６に示すような運転開始順序データＡまたは運転開始順序データＢを用いた冷温水管路３１ａを通流する室内機３５に供給される水の温度に基づく運転台数の制御とを並行して行っている。すなわち、集中制御装置１は、例えば図８に示すような動作により定常運転における吸収式冷温水機の運転台数の制御を行っている。
【００６２】
冷温水管路３１ａを通流する室内機３５に供給される水の温度に基づく運転台数の制御において、集中制御装置１の運転台数決定手段は、図８に示すように、冷温水管路３１ａを通流する室内機３５に供給される水の温度が、冷房時、予め設定した温度Ｔｃ２より高く、ステップ１２３の立ち上がり運転時の運転台数の制御から、ステップ１２５の定常運転時の運転台数の制御への移行を判断するための温度Ｔｃ１以下のとき、または、暖房時、予め設定した温度Ｔｈ２より低く、ステップ１２３の立ち上がり運転時の運転台数の制御から、ステップ１２５の定常運転時の運転台数の制御への移行を判断するための温度Ｔｈ１以上のときは、現在設定されている運転台数の吸収式冷温水機に運転許可信号を送信して全て運転開始してから設定時間ｔ２経過し、かつこれらの吸収式冷温水機の全てから最大能力で運転していることを示す情報を受信してから設定時間ｔ３経過しており、さらに、受信している冷温水管路３１ａを通流する室内機３５に供給される水の温度の変化が、冷房時、温度が上り勾配、または、暖房時、温度が下り勾配であれば、選択した運転開始順序データにしたがって吸収式冷温水機の運転台数を１台増加するため、停止している吸収式冷温水機に運転許可信号を送信する。なお、時間ｔ１＞時間ｔ２＞時間ｔ３、温度Ｔｃ１＞温度Ｔｃ２、温度Ｔｈ１＜温度Ｔｈ２としている。時間ｔ１、ｔ２、ｔ３は、例えば数十分程度の時間である。
【００６３】
さらに、受信している冷温水管路３１ａを通流する室内機３５に供給される水の温度が、冷房時、温度Ｔｃ１より高く、予め設定した温度Ｔｃ３以下のとき、または、暖房時、温度Ｔｈ１より低く、予め設定した温度Ｔｈ３以上のときは、現在設定されている運転台数の吸収式冷温水機に運転許可信号を送信して全て運転開始してから設定時間ｔ２経過し、かつ、受信している冷温水管路３１ａを通流する室内機３５に供給される水の温度が、冷房時、温度が上り勾配、または、暖房時、温度が下り勾配であれば、選択した運転開始順序データにしたがって吸収式冷温水機の運転台数を１台増加するため、停止している吸収式冷温水機に運転許可信号を送信する。
【００６４】
また、受信している冷温水管路３１ａを通流する室内機３５に供給される水の温度が、冷房時、温度Ｔｃ３より高いとき、または、暖房時、温度Ｔｈ３より低いときは、選択した運転開始順序データに在る全ての吸収式冷温水機の運転を開始するため、停止している全ての吸収式冷温水機に運転許可信号を送信する。一方、冷温水管路３１ａを通流する室内機３５に供給される水の温度が、冷房時、温度Ｔｃ２以下のとき、または、暖房時、温度Ｔｈ２以上のときは、平均負荷率による制御のみを行う。なお、温度Ｔｃ３＞温度Ｔｃ１、温度Ｔｈ３＜温度Ｔｈ１としている。
【００６５】
ここで、冷温水管路３１ａを通流する室内機３５に供給される水の温度は、図３に示す第２の例の空調システム３９のような各連結管路３３ａに各々送液ポンプ３７が設けられているような構成の場合には、そのとき運転している吸収式冷温水機の連結管路３３ａ側、つまり出口側の水の温度の平均値を用いている。また、図２または図４に示す第１及び第３の例の空調システム１７、５１のように、冷温水管路３１ａに送液ポンプ３７が設けられているような構成の場合には、吸収式冷温水機の運転状態に係わらず、全吸収式冷温水機の連結管路３３ａ側、つまり出口側の水の温度の平均値を用いている。このとき、システムを構成する全ての吸収式冷温水機の能力が同じであれば、温水管路３１ａを通流する室内機３５に供給される水の温度の算出には、各吸収式冷温水機の出口側における水の温度の相加平均を用いる。しかし、システムを構成する吸収式冷温水機の能力が異なるものである場合、温水管路３１ａを通流する室内機３５に供給される水の温度の算出には、その能力に応じた重み付き平均を用いる。
【００６６】
このように、本実施形態では、各吸収式冷温水機２５、４５の制御部２５ａ、４５ａから、各吸収式冷温水機２５、４５の熱媒体の出口側での温度データに対応する信号をもらって、その温度データに基づいて冷温水管路３１ａを通流する室内機３５に供給される水の温度を演算し推定している。したがって、吸収式冷温水機が備えている温度センサにより熱媒体流路を通流する室内機に供給される熱媒体の温度を算出し、冷温水管路３１ａを通流する室内機３５に供給される水の温度の情報として受信できることから、熱媒体流路に別途温度センサなどを設ける必要がない。
【００６７】
平均負荷率に基づく運転台数の制御において、集中制御装置１の運転台数決定手段は、図８に示すように、冷温水管路３１ａを通流する室内機３５に供給される水の温度が、冷房時、温度Ｔｃ２以下のとき、または、暖房時、温度Ｔｈ２以上のときで、最後に運転許可信号を送信した吸収式冷温水機、つまり最後に運転を開始した吸収式冷温水機の起動から時間ｔ３経過しているとき、平均負荷率に基づく運転台数の制御を行う。なお、冷温水管路３１ａを通流する室内機３５に供給される水の温度が、冷房時、温度Ｔｃ２より高いとき、または、暖房時、温度Ｔｈ２より低いときは、平均負荷率に基づく運転台数の制御を行わない。
【００６８】
ここで、平均負荷率の演算動作について説明する。集中制御装置１の運転台数決定手段は、図９乃至図１１に示すように、予め設定されたサンプリング周期ｔ４、例えば数十秒毎に、選択した運転開始順序データに在る各吸収式冷温水機２５、４５の入熱量に対応する情報を受信する（ステップ２０１）。本実施形態では、ステップ２０１において、排熱で駆動しているＮｏ．１、２の複合型吸収式冷温水機４５では、入熱量に対応する情報として、排熱の有無の情報を取得する。そして、排熱が有る場合には、１台の複合型吸収式冷温水機４５の排熱による最大入熱量に対する入熱量の割合、つまり１台の複合型吸収式冷温水機４５における排熱インプットが１００％であると判断している。
【００６９】
また、Ｎｏ．３、４の直焚き型吸収式冷温水器２５、そして補助ボイラ４３の駆動によるＮｏ．１、２の複合型吸収式冷温水機４５では、入熱量に対応する情報として、例えば燃焼停止、低燃焼や高燃焼といったバーナの燃焼状態の情報を取得する。そして、バーナの燃焼状態に基づいて、１台の直焚き型吸収式冷温水機２５の図示していない直焚き再生器、または１台の複合型吸収式冷温水機４５の補助ボイラ４３が有するバーナの燃焼による最大入熱量に対する入熱量の割合、つまり１台の吸収式冷温水機２５、４５における燃焼インプットを判断している。
【００７０】
すなわち、集中制御装置１のメモリ７には、予めＮｏ．３、４の直焚き型吸収式冷温水器２５、そして補助ボイラ４３のバーナの燃焼状態に応じた燃焼インプットに関する情報が記録されている。そして、集中制御装置１は、Ｎｏ．３、４の直焚き型吸収式冷温水器２５の制御部２５ａ、そして補助ボイラ４３の駆動によるＮｏ．１、２の排熱型吸収式冷温水機４７の制御部４７ａから各々受信したバーナの燃焼状態の情報に基づいて、メモリ７に予め記録しておいたＮｏ．３、４の直焚き型吸収式冷温水器２５、そして補助ボイラ４３のバーナの燃焼状態に応じた燃焼インプットに関する情報を読み出す。燃焼インプットは、例えば、バーナの燃焼状態が燃焼停止を含めて４段階のものにおいて、受信したバーナの燃焼状態が低燃焼であれば燃焼インプット３５％、中燃焼であれば燃焼インプット７０％、そして高燃焼で有れば燃焼インプット１００％といったように判断される。
【００７１】
なお、停止している吸収式冷温水機の排熱インプットまたは燃焼インプットは、０％となる。また、バーナの燃焼状態は、直焚き型吸収式冷温水器２５、そして補助ボイラ４３共に、種類に応じて、燃焼停止を含めて４段階のもの、３段階のものや２段階のものなど様々であり、燃焼状態に対応する燃焼インプットもバーナの種類に応じて異なる。また、集中制御装置１のメモリ７にバーナの燃焼状態に応じた燃焼インプットに関する情報を記録しておき、集中制御装置１がバーナの燃焼状態から燃焼インプットを判断するだけでなく、集中制御装置１が各吸収式冷温水機の制御部から各吸収式冷温水機の制御部で判定した燃焼インプットに関する情報を受け取るようにすることもできる。図１０及び図１１では、運転開始順序データＡ及びテーブルＡを用いて定常運転時の運転台数の制御を行っている場合を示している。
【００７２】
集中制御装置１は、各吸収式冷温水機２５、４５に関してステップ２０１で得られた排熱インプット及び燃焼インプットと、その排熱インプットまたは燃焼インプットを得た吸収式冷温水機の能力との積を合計してシステム負荷率を算出し、前回のサンプリングで算出したシステム負荷率と積算する（ステップ２０３）。さらに、各サンプリング周期ｔ４毎に吸収式冷温水機２５、４７の能力を合計したシステム能力を算出し、前回のサンプリングで算出したシステム能力と積算する（ステップ２０５）。なお、システム能力は、同一の運転開始順序データ及びテーブルを用いている間は一定であるのでその都度算出する必要はなく、用いる運転開始順序データ及びテーブルが変わったとき、すなわち、排熱の有無の状態が変わったときだけ算出するようにすることもできる。
【００７３】
ステップ２０１により、ステップ２０３及びステップ２０５のシステム負荷率の積算、及びシステム能力の積算をサンプリング周期ｔ４毎に繰り返し、予め設定されたインターバル時間ｔ５、例えば数十分毎に、この間のシステム能力の積算値に対するシステム負荷率の積算値の割合、すなわち平均負荷率を演算する（ステップ２０７、２０９）。このようなステップ２０１からステップ２０９に至る平均負荷率の演算過程を繰り返し、予め設定されたインターバル時間ｔ５の間の平均負荷率を演算する。なお、ステップ２０９が終了すると、集中制御装置１は、このインターバルの間のシステム能力の積算値、及びシステム負荷率の積算値のデータを消去する。
【００７４】
このように、算出した平均負荷率と、図７に示すようなテーブルＡまたはテーブルＢとに基づいて、集中制御装置１の運転台数決定手段は、運転台数の決定を行う。集中制御装置１の運転台数決定手段は、図７及び図１２に示すように、算出した平均負荷率が、運転台数を増加するためのテーブルＡまたはテーブルＢの運転台数に対応する負荷率よりも大きいか否かを判定する（ステップ３０１）。
【００７５】
なお、図７に示すテーブルＡまたはテーブルＢの運転台数増加テーブルＴｕｐ［ｉ］、運転台数減少テーブルＴｄｎ［ｉ］における運転台数［ｉ］は、優先機に設定された排熱で駆動するＮｏ．１、２の複合型吸収式冷温水機４５を除いた、Ｎｏ．３、４の直焚き型吸収式冷温水器２５、そして補助ボイラ４３で駆動するＮｏ．１、２の複合型吸収式冷温水機４５の４台における運転台数、つまり優先機を除いた運転台数であり、ｉ＝１は、Ｎｏ．３の直焚き型吸収式冷温水器２５、ｉ＝２は、Ｎｏ．４の直焚き型吸収式冷温水器２５、ｉ＝３は、補助ボイラ４３で駆動するＮｏ．１の複合型吸収式冷温水機４５、そしてｉ＝４は、補助ボイラ４３で駆動するＮｏ．２の複合型吸収式冷温水機４５を意味する。
【００７６】
集中制御装置１の運転台数決定手段は、図１２に示すように、ステップ３０１において、算出した平均負荷率が、優先機を除いた運転台数［ｉ］が１台つまりＴｕｐ［１］に対応するテーブルＡまたはテーブルＢの負荷率よりも大きい場合、Ｔｕｐ［１］で運転開始される吸収式冷温水機、つまり図７ではＮｏ．３の直焚き型吸収式冷温水器２５が停止しているか否かを判定する（ステップ３０３）。ステップ３０３で、Ｎｏ．３の直焚き型吸収式冷温水器２５が停止している場合、冷温水管路３１ａを通流する室内機３５に供給される水の温度が上り勾配または下り勾配であるか否かを判定する（ステップ３０５）。
【００７７】
ステップ３０５で、冷房時、水の温度が上り勾配、または、暖房時、水の温度が下り勾配である場合、１台目の直焚き型吸収式冷温水器、つまりＮｏ．３の直焚き型吸収式冷温水器２５を運転することを判定する（ステップ３０７）。また、ステップ３０３で、Ｎｏ．３の直焚き型吸収式冷温水器２５が停止していない場合も、ステップ３０７に進み、１台目の直焚き型吸収式冷温水器、つまりＮｏ．３の直焚き型吸収式冷温水器２５を運転することを判定する（ステップ３０７）。
【００７８】
一方、ステップ３０１において、算出した平均負荷率が、優先機を除いた運転台数［ｉ］が１台つまりＴｕｐ［１］に対応するテーブルＡまたはテーブルＢの負荷率以下の場合、算出した平均負荷率が、Ｔｄｎ［１］に対応するテーブルＡまたはテーブルＢの負荷率よりも小さいか否かを判定する（ステップ３０９）。集中制御装置１の運転台数決定手段は、ステップ３０９において、算出した平均負荷率が、Ｔｄｎ［１］に対応するテーブルＡまたはテーブルＢの負荷率よりも小さい場合、１台目の直焚き型吸収式冷温水器、つまりＮｏ．３の直焚き型吸収式冷温水器２５の運転の停止を判定する（ステップ３１１）。また、ステップ３０５で、冷房時、水の温度が下り勾配、または、暖房時、水の温度が上り勾配である場合も、ステップ３１１に進み、１台目の直焚き型吸収式冷温水器、つまりＮｏ．３の直焚き型吸収式冷温水器２５の運転の停止を判定する。
【００７９】
さらに、ステップ３０９において、算出した平均負荷率がＴｄｎ［１］に対応するテーブルＡまたはテーブルＢの負荷率以上の場合、１台目の直焚き型吸収式冷温水器、つまりＮｏ．３の直焚き型吸収式冷温水器２５が運転中の場合にはそのまま運転し、停止中の場合には停止したままにすることを判定する（ステップ３１３）。
【００８０】
このようなステップ３０１からステップ３１３までの過程を、優先機に設定された排熱で駆動するＮｏ．１、２の複合型吸収式冷温水機４５を除いた運転台数［ｉ］、本実施形態では４台について順次繰り返しながら行う。これにより、集中制御装置１の運転台数決定手段は、優先機に設定された排熱で駆動するＮｏ．１、２の複合型吸収式冷温水機４５を除いた４台のうちの運転台数を決定する。そして、集中制御装置１の信号送信手段は、運転台数決定手段で決定した運転台数と、テーブルＡまたはテーブルＢの吸収式冷温水機の運転を開始する順番に応じて、運転許可信号、または運転非許可信号を対象となる吸収式冷温水機に送信する。なお、運転台数［ｉ］が３台または４台のとき、集中制御装置１の信号送信手段は、補助ボイラ４３で駆動するＮｏ．１の複合型吸収式冷温水機４５、または補助ボイラ４３で駆動するＮｏ．１及びＮｏ．２の複合型吸収式冷温水機４５に対してバーナ運転許可信号を送信する。
【００８１】
ここで、本実施形態では、排熱を利用した駆動による複合型吸収式冷温水機４５の排熱インプットは、排熱源１９が駆動していることを示す信号を受けていれば、つまり、排熱が有れば１００％としている。しかし、実際には、排熱源１９の作動状態によって排熱インプットは変化している。このため、実際の排熱インプットが１００％よりも低いとき、直焚き型吸収式冷温水器２５が運転していれば、再生器温度などに応じて、図示していない直焚き再生器のバーナの燃焼状態を上げるといった動作を直焚き型吸収式冷温水器２５が行う。また、実際の排熱インプットが増大して運転している直焚き型吸収式冷温水器２５の再生器温度が例えば冷房運転において低くなると、図示していない直焚き再生器のバーナの燃焼状態を上げるといった動作を直焚き型吸収式冷温水器２５が行う。
【００８２】
さらに、実際の排熱インプットが１００％よりも低く、排熱を利用した駆動による複合型吸収式冷温水機４５だけでは算出した平均負荷率が、該当するテーブルＡまたはテーブルＢの負荷率よりも大きくなる場合や、直焚き型吸収式冷温水器２５を運転しているときに図示していない直焚き再生器のバーナの燃焼状態を変化させても算出した平均負荷率が、該当するテーブルＡまたはテーブルＢの負荷率よりも大きくなる場合などには、集中制御装置１は、停止している直焚き型吸収式冷温水器２５に運転許可信号を送信して運転を開始させる。
【００８３】
一方、排熱を利用した駆動による複合型吸収式冷温水機４５に加えて直焚き型吸収式冷温水器２５が運転しているときに、実際の排熱インプットが増大し、図示していない直焚き再生器のバーナの燃焼状態を下げるといった動作を直焚き型吸収式冷温水器２５が行っても算出した平均負荷率が、該当するテーブルＡまたはテーブルＢの負荷率よりも小さくなる場合、集中制御装置１は、運転している直焚き型吸収式冷温水器２５に運転非許可信号を送信して運転を停止させる。
【００８４】
排熱を利用した駆動による複合型吸収式冷温水機４５の排熱インプットは、本実施形態のように排熱が有るときに１００％とするだけでなく、実際の排熱インプットの計測が行える場合や、排ガスの流量や温度や排熱源の駆動状態を示す信号などからできるだけ正確に排熱インプットを算出することなどができる場合には、そのような計測した排熱インプットや算出した排熱インプットの値を用いることもできる。
【００８５】
なお、図７及び図１０は、排熱を利用した駆動による複合型吸収式冷温水機４５、直焚き型吸収式冷温水機２５、そして補助ボイラ４３の駆動による複合型吸収式冷温水機４５が全て同じ冷却または加温処理能力を有していると仮定したものである。また、図７の各テーブルの運転台数を増減させるための負荷率の数値は、排熱を利用した駆動による複合型吸収式冷温水機４５、直焚き型吸収式冷温水機２５、そして補助ボイラ４３の駆動による複合型吸収式冷温水機４５が全て同じ冷却または加温処理能力を有しているとした場合の一例を示している。
【００８６】
このように、本実施形態の集中制御装置１では、運転順序決定手段で運転を開始する順序を決定するときに複数の吸収式冷温水機の中から優先的に運転を開始する吸収式冷温水機を設定する優先機設定手段を備えているため、複合型吸収式冷温水機４５を優先機設定手段で優先的に運転を許可する吸収式冷温水機に設定することで、常に排熱を熱源として複合型吸収式冷温水機４５が最初に駆動される。そして、運転台数決定手段で決定された必要な運転台数に応じて、直焚き型吸収式冷温水機２５が駆動される。したがって、冷温水管路３１ａを通流する水の冷却または加温に優先的に排熱が利用されることになり、排熱型吸収式冷温水機と直焚き型吸収式冷温水機とを備えたシステムの省エネルギー性を向上できる。
【００８７】
さらに、優先機設定手段は、複数の複合型吸収式冷温水機４５を優先機として設定可能であり、信号送信手段は、優先機設定手段で設定された複数の複合型吸収式冷温水機４５に同時に運転の指令信号を送信する。したがって、複数の複合型吸収式冷温水機４５を同時に駆動するため、冷温水管路３１ａを通流する室内機３５に供給される水の温度が要求された温度になるまでの時間を短縮できる。
【００８８】
ところで、排熱源１９からの排熱がないのに複合型吸収式冷温水機４５が優先的に運転を開始してしまうと、運転台数決定手段で直焚き型吸収式冷温水機２５を運転することになる運転台数が決定されるまで、冷温水管路３１ａを通流する室内機３５に供給される水の温度が要求される温度にならない。このため、室内機３５に供給される水の温度が要求される温度になるまでの時間が長くなる、つまり立ち上がり時間が長くなるという問題が生じる。空調システムの場合には、立ち上がり時間が長くなると、要求された室温になるまでの時間が長くなり、快適性が低下してしまう。
【００８９】
これに対して、本実施形態の集中制御装置１では、運転台数決定手段は、優先機が設定されている場合、吸収式冷温水機の運転開始順序を定義した２つの運転開始順序データＡ、Ｂを作成する。運転開始順序データＡは、優先機設定手段で設定した優先的に運転を開始する複合型吸収式冷温水機４５を含み、運転開始順序データＢは、優先機設定手段で設定した優先的に運転を開始する複合型吸収式冷温水機４５を含んでいない。そして、運転台数決定手段は、排熱を利用して駆動される複合型吸収式冷温水機４５の排熱源１９の駆動を示す信号を受けた場合には運転開始順序データＡを、排熱源１９の駆動を示す信号を受けていない場合には運転開始順序データＢを用いて吸収式冷温水機の運転台数を決定している。したがって、排熱源からの排熱がない場合には、排熱型吸収式冷温水機を駆動せず、直焚き型吸収式冷温水機で運転を開始するため、冷温水管路を通流する室内機に供給される水が要求された温度になるまでの時間を短縮できる。また、空調システムの場合、快適性を向上できる。
【００９０】
さらに、集中制御装置１の信号送信手段は、優先機設定手段で設定した優先的に運転を開始する複合型吸収式冷温水機４５に対して、バーナの燃焼による運転を許可するバーナ運転許可信号を送信する。このため、複合型吸収式冷温水機４５のように補助ボイラ４３を有しているときには、排熱による駆動だけでは熱媒体の温度を要求された温度にできないときに、補助ボイラ４３が駆動してしまうのを防ぎ、複合型吸収式冷温水機４５が備えた補助ボイラ４３よりも熱効率が高い直焚き型吸収式冷温水機２５を運転できる。これにより、補助ボイラ４３の駆動では、熱媒体である水を加熱し、この加熱された水からの入熱で複合型吸収式冷温水機４５が駆動されるため、バーナの熱で直接稀溶液を加熱する直焚き型吸収式冷温水機２５に比べて熱損失が大きく効率が悪いが、直焚き型吸収式冷温水機２５が補助ボイラ４３よりも優先的に運転開始されることにより、システム全体でみた場合の熱効率を向上でき、省エネルギー性をより向上できる。
【００９１】
加えて、集中制御装置１の複合機設定手段は、優先機設定手段で設定した優先的に運転を開始する１台の吸収式冷温水機を、優先的に運転を開始する排熱型吸収式冷温水機と、優先的に運転を行わない直焚き型吸収式冷温水機との２台の吸収式冷温水機と見なす設定ができる。そして、運転順序決定手段は、複合機設定手段で設定された吸収式冷温水機のグループ、つまり補助ボイラ４３で駆動する複合型吸収式冷温水機４５のグループと、優先機設定手段で設定されていない直焚き型吸収式冷温水機２５のグループとの２つのグループに分別し、直焚き型吸収式冷温水機２５のグループの運転を補助ボイラ４３で駆動する排熱型吸収式冷温水機４７のグループの運転よりも優先的に開始する。また、信号送信手段が運転順序決定手段で決定された順序にしたがって補助ボイラ４３で駆動する複合型吸収式冷温水機４５のグループに信号を送信するとき、バーナ運転許可信号を送信している。
【００９２】
したがって、第２の例のような補助ボイラ４３を備えた複合型吸収式冷温水機４５や第３の例のような直焚き型の再生器を備えた排熱型吸収式冷温水機５３などを設置した場合、この補助ボイラ４３を備えた排熱型吸収式冷温水機４７や第３の例のような直焚き型の再生器を備えた排熱型吸収式冷温水機５１などの、補助ボイラ４３や直焚き型の再生器による駆動を１台の直焚き型吸収式冷温水機と見なして運転台数に数えることができ、より少ない吸収式冷温水機の台数で、必要な熱媒体の冷却または加温能力を得ることができる。
【００９３】
さらに、補助ボイラ４３を備えた複合型吸収式冷温水機４５の場合、直焚き型吸収式冷温水機２５よりも熱効率が低い補助ボイラ４３の駆動による排熱型吸収式冷温水機での熱媒体の冷却または加温を、全ての直焚き型吸収式冷温水機２５の運転の後に行うことができ、省エネルギー性を一層向上できる。
【００９４】
また、直焚き型の再生器を備えた排熱型吸収式冷温水機５１の場合、直焚き型の再生器の駆動による排熱型吸収式冷温水機５１での熱媒体の冷却または加温を、全ての直焚き型吸収式冷温水機２５の運転の後に行うことができ、排熱型吸収式冷温水機５１の直焚き型の再生器が優先的に作動するのを回避し、排熱型吸収式冷温水機の直焚き型の再生器の運転頻度が高くなるのを防ぐことができる。
【００９５】
さらに、運転順序決定手段は、補助ボイラ４３で駆動する複合型吸収式冷温水機４５のグループと、優先機設定手段で設定されていない直焚き型吸収式冷温水機２５のグループとの２つのグループ内で、各々、これらの各グループに含まれる吸収式冷温水機２５、４５の運転を開始する順序をローテーションさせている。したがって、補助ボイラ４３や直焚き型吸収式冷温水機２５の運転時間を平均化させることができ、不具合の発生の抑制や保守点検頻度などを低減できる。
【００９６】
また、本実施形態では、熱媒体として水を例示しているが、水に限らず様々な熱媒体を用いることができる。
【００９７】
また、本発明は、本実施形態で例示した構成の空調システムに限らず、排熱型吸収式冷温水機と直焚き型吸収式冷温水機とを備えた様々な構成の様々な目的に用いるシステムに適用することができる。
【００９８】
【発明の効果】
本発明によれば、排熱型吸収式冷温水機と直焚き型吸収式冷温水機とを備えたシステムの省エネルギー性を向上できる吸収式冷温水機用の集中制御装置を提供できる。
【図面の簡単な説明】
【図１】本発明を適用してなる集中制御装置の一実施形態の概略構成を示すブロック図である。
【図２】本発明を適用してなる集中制御装置を用いた空調システムの第１の例の概略構成を示す図である。
【図３】本発明を適用してなる集中制御装置を用いた空調システムの第２の例の概略構成を示す図である。
【図４】本発明を適用してなる集中制御装置を用いた空調システムの第３の例の概略構成を示す図である。
【図５】本発明を適用してなる集中制御装置の一実施形態の概略動作を示すフロー図である。
【図６】本発明を適用してなる集中制御装置の運転順序決定手段で決定した運転開始順序データとローテーションについて説明する図である。
【図７】本発明を適用してなる集中制御装置の一実施形態における運転台数の決定方法と運転台数の決定に用いるテーブルを示す図である。
【図８】本発明を適用してなる集中制御装置の冷温水温度と平均負荷率とによる制御の一例を説明する図である。
【図９】本発明を適用してなる集中制御装置の一実施形態の平均負荷率演算過程を示すフロー図である。
【図１０】本発明を適用してなる集中制御装置の一実施形態の平均負荷率の演算方法を説明する図である。
【図１１】本発明を適用してなる集中制御装置の一実施形態の平均負荷率の演算方法を説明する図である。
【図１２】本発明を適用してなる集中制御装置の一実施形態の平均負荷率に基づく運転台数決定過程を示すフロー図である。
【符号の説明】
１  集中制御装置
３  マイコン
５  入力部
７  表示部
９  メモリ
１１  通信回路
１３  通信ポート
１５  電源回路
【図１】
2004347302.tif 000003
【図２】
2004347302.tif 000004
【図３】
2004347302.tif 000005
【図４】
2004347302.tif 000006
【図５】
2004347302.tif 000007
【図６】
2004347302.tif 000008
【図７】
2004347302.tif 000009
【図８】
2004347302.tif 000010
【図９】
2004347302.tif 000011
【図１０】
2004347302.tif 000012
【図１１】
2004347302.tif 000013
【図１２】
2004347302.tif 000014